(57)【要約】【課題】  従来のタイルはモルタルや接着剤による貼付け作業が面倒であった。【解決手段】  タイルの裏面の一辺に表面よりも外側まで突出する差込縁を設け、差込縁と反対側の辺の表面に裏面よりも外側まで突出する被覆縁を設け、被覆縁の裏面側に支持縁を設けた。前記差込縁を連結具に差込み可能とし、被覆縁は連結具を被覆可能とし、支持縁は連結具に嵌入可能として、モルタルや接着剤を不要とし、連結具が上下に配列したタイルに隠されて表面から見えないようにした。また、前記タイルの表面の左右いずれか一辺に裏面よりも外側まで突出する側方突縁を設け、側方突縁と反対側の裏面側辺に表面よりも外側まで突出する側縁重合部を設け、左右に配列したタイルの境目に隙間ができないようにした。【選択図】図２
2009281117.tif 000002
【特許請求の範囲】
【請求項１】
建物の外側又は／及び内側に連結具により取付け可能な角板状のタイルであり、
タイルはその裏面の一辺に表面よりも外側まで突出する差込縁があり、
前記差込縁は建物に取付けられる連結具の係止部に差込み係止可能であり、
タイルの前記一辺と反対側の辺の表面に裏面よりも外側まで突出する被覆縁があり、
前記被覆縁は前記連結具を被覆可能であり、
前記被覆縁の裏面側に前記連結具に嵌入可能な支持縁があることを特徴とする建物用タイル。
【請求項２】
請求項１記載の建物用タイルにおいて、タイル表面の左右いずれか一辺に裏面よりも外側まで突出する側方突縁があり、
タイルの前記側方突縁と反対側の裏面側辺に表面よりも外側まで突出する側縁重合部があることを特徴とする建物用タイル。
【請求項３】
請求項１又は請求項２記載の建物用タイルにおいて、タイルの裏面の一部が裏面の他の部分よりも肉薄に形成されたことを特徴とする建物用タイル。
【請求項４】
建物の外側又は／及び内側に連結具が取り付けられ、その連結具によりタイルが上下左右に配列して取付けられた建物の壁構造において、前記タイルが請求項１乃至請求項３のいずれかに記載の建物用タイルであり、その建物用タイルの差込縁が建物に取付けられた連結具の係止部に、支持縁が前記連結具の支持部に差込まれて支持されたことを特徴とする建物の壁構造。
【請求項５】
請求項４記載の建物の壁構造において、左右に配列された建物用タイルの側方突縁が、その建物用タイルの隣に配置された他の建物用タイルの側縁重合部の前面に重合されたことを特徴とする建物の壁構造。
【発明の詳細な説明】
【技術分野】
【０００１】
本願発明は建物の外壁面や内壁面に取付ける建物用タイルと、その建物用タイルを建物の外壁面や内壁面に上下左右に配置して固定した建物の壁構造に関するものである。
【背景技術】
【０００２】
タイルを建物の壁面に取付けることは従来から行なわれている。従来のタイル取り付け箇所は室内が多く、特に、浴室、キッチンなどの水周り部分の内壁面などに多く見られる。いずれの場合も接着剤やモルタル等で取付けられている。
【発明の開示】
【発明が解決しようとする課題】
【０００３】
従来のタイルは次のような課題があった。
（１）モルタルや接着剤による貼付け作業が面倒であり、作業性が悪く、コストアップの一因となる。
（２）モルタルや接着剤を使用する分だけコスト高になる。
（３）モルタルや接着剤が乾燥するまでタイルが不安定であり、取付け作業中に振動を受けるとタイルが傾いたり位置ずれしたりし、場合によっては落下することもある。
【課題を解決するための手段】
【０００４】
本願発明はモルタルや接着剤を使用せず、建物に固定する連結具を使用して建物壁面に取付け可能な構造の建物用タイルと、二以上の建物用タイルの縦横境目が目立たないように配列固定した建物の壁構造を提供するものである。
【０００５】
本願発明の建物用タイルは、請求項１記載のように、建物の外側又は／及び内側に連結具により取付け可能な角板状のタイルであり、タイルはその裏面の一辺に表面よりも外側まで突出する差込縁があり、差込縁は建物に取付けられる連結具の係止部に差込み係止可能であり、タイルの前記一辺と反対側の辺の表面に裏面よりも外側まで突出する被覆縁があり、被覆縁は前記連結具を被覆可能であり、被覆縁の裏面側に連結具に嵌入可能な支持縁を備えたものである。
【０００６】
本願発明の建物用タイルは、前記建物用タイルにおいて、請求項２記載のように、
タイル表面の左右いずれか一辺に裏面よりも外側まで突出する側方突縁があり、タイルの側方突縁と反対側の裏面側辺に表面よりも外側まで突出する側縁重合部を備えたものである。
【０００７】
本願発明の建物用タイルは、前記建物用タイルにおいて、請求項３記載のように、タイルの裏面の一部が裏面の他の部分よりも肉薄に形成されたものである。
【０００８】
本願発明の建物の壁構造は、前記建物用タイルにおいて、請求項４記載のように、建物の外側又は／及び内側に連結具が取り付けられ、その連結具によりタイルが上下左右に配列して取付けられた建物の壁構造において、タイルが請求項１乃至請求項３のいずれかに記載の建物用タイルであり、建物用タイルの差込縁が建物に取付けられた連結具の係止部に、支持縁が連結具の支持部に差込まれて支持されたものである。
【０００９】
本願発明の建物の壁構造は、前記建物用タイルにおいて、請求項５記載のように、左右に配列された建物用タイルの側方突縁が、建物用タイルの隣に配置された他の建物用タイルの側縁重合部の前面に重合されたものである。
【発明の効果】
【００１０】
１．本願発明の建物用タイルは、タイルの差込縁を連結具の係止部に差込んで係止でき、支持縁を連結具の支持部に差込んで支持できるので、建物の壁面に連結具を取付ければ、タイルを手軽に壁面に取り付けることができる。
２．タイルの差込縁が連結具の係止部に係止され、支持縁が連結具の支持部に支持されるので、タイルの取付けが安定する。
３．タイルの被覆縁を他のタイルの差込縁の表側に被せることができるので、上下に配列したタイルの境目が密接し、隙間ができないので、両タイル間に目地などを充填する必要がなく、作業が容易であり、体裁がよい。また、連結具が被覆されて外から見えなくなるため体裁も良い。
４．タイルの側方突縁で隣のタイルの側方重合部をカバーできるので、左右のタイルの境目も密接し、隙間ができないので、両タイル間に目地などを充填する必要がなく、作業が容易であり、体裁もよい。
５．タイルの裏面の一部が他の部分よりも肉薄であるため、タイルが軽量になり、運搬、建物への施工時の取扱いが容易になり、建物への負荷も軽減される。
【００１１】
１．本願発明の建物の壁構造は、建物用タイルを連結具で建物に取付けてあるので、建物用タイルの取付けが安定する。
２．建物用タイルの境界に隙間がないため体裁の良い壁面となる。
３．建物用タイルの貼り付けにモルタルや目地材が不要であるため、建物に係る負荷が軽減される。
【発明を実施するための最良の形態】
【００１２】
（建物用タイルの実施形態１）
本願発明の建物用タイルの実施形態の一例を図面に基づいて説明する。本願発明の建物用タイルは建物の外壁又は内壁の上下左右に隙間なく取付け可能であれば、五角形、六角形、八角形といった各種角形であっても良いが、図１に示すものは長方形である。
【００１３】
図１のタイル１は連結具２（図３）を使用することによって、図６のように建物の外壁又は内壁に取付け可能なものである。連結具２は一枚の金属板３を折り曲げ加工して支持部４と係止部５が形成されている。支持部４は金属板３の幅方向両側（二箇所）を略上向きコ字状に折り返して上向き開口に形成されている。係止部５は金属板３のうち二つの支持部４の間を略下向きＬ字状に折り曲げて下向き開口に形成されている。二つの支持部４とその間の係止部５の間に支持片６が下方に突設されている。金属板３には凸条７が前面に突設されている。凸条７は金属板３の補強用であり、タイル裏面を支持する支持部でもある。金属板３には円形の止め孔８が開口されている。止め孔８は金属板３を建物の躯体の柱や間柱等Ａ（図６）に釘やビス等の固定具Ｂ（図４〜図６）で固定するためのものである。
【００１４】
タイル１は図１に示すように、その裏面上縁９に表面上縁１０よりも外側まで突出する差込縁１１があり、この差込縁１１は前記連結具２の係止部５に差込み可能な厚さにしてある。タイル１の表面下縁１２に裏面下縁１３よりも外側まで突出する被覆縁１４があり、この被覆縁１４は図６のように下のタイルの差込縁１１の上（表）に重ねると、差込縁１１、連結具２の係止部５、支持部４の前面が被覆されて（隠されて）外側（表側）から見えなくなる長さにしてある。被覆縁１４の裏側には図６に示すように、連結具２の支持部４に嵌入可能な支持縁２４が形成されている。被覆縁１４の根元部分には嵌入溝１５（図２（ａ）、（ｂ））が形成されている。この嵌入溝１５は支持部４の支持部片４ａを差込みできる深さにしてある。
【００１５】
タイル１は図１のように、表面の左右いずれかの側縁に裏面側縁１６よりも外側まで突出する側方突縁１７が形成され、タイル１の前記側方突縁１７と反対側に、表面側縁１８よりも外側まで突出する側方重合部１９が形成されている。前記側方突縁１７と側方重合部１９とは同じ突出寸法にしてあり、側方突縁１７を隣に配置される他のタイルの側方重合部１９の上（表）に重ねると側方重合部１９が隠れて外側（表側）から見えなくなるようにしてある。
【００１６】
タイル裏面２０の一部２１（図２（ｂ））はタイル裏面２０の他の部分２２、例えば外周縁部２３よりも肉薄にしてタイル１を軽量化してある。外周縁部２３を肉厚にするのはタイル１の強度を高めるためであり、タイル裏面２０の一部２１を外周縁部２３よりも薄くするのはタイル１を軽量化するためである。肉を薄くするのはタイル裏面２０の一部２１以外の箇所であってもよく、肉を厚くするのは前記外周縁部２３以外の箇所であってもよい。
【００１７】
前記表面上縁１０は上端部１０ａ（図６）が上方に向けて肉薄になるテーパ面に形成されている。表面上縁１０、被覆縁１４、支持縁２４の突出長、嵌入溝１５の深さ等は必要に応じて設計することができる。タイル１の製造方法、使用原料、焼成設備等は既存の方法、原料、設備等と同じであってもよく異なるものでもよい。いずれの場合も、焼き上がるタイルを壁材として使用できる硬度、耐水性、強度等を備えたものとする。タイル１は表面に模様、図柄、写真等が表示されたものであてもよい。
【００１８】
（タイルの実施形態２）
前記実施形態のタイル１は図２のように裏面中央部２５を外周縁部２３よりも肉薄にしてあるが、タイル１の必要強度が確保され、軽量化可能であればタイル１の全面を裏面中央部２５と同様に肉薄にすることもできる。
【００１９】
（タイル壁構造の実施形態１）
本願発明のタイル壁構造は、前記実施形態のタイル１を建物の外面または内面に取り付けたものである。いずれの場合も、図６のように前記連結具２を建物の柱、間柱、他の構造部材等Ａに釘、ビス等の固定具Ｂで固定する。固定具Ｂはタイル１を外壁又は内壁の下方から上方及び左右に順次配列するときにその都度取り付けるとタイル１の位置決め、取付けが容易になるが、連結具２は建物のタイル取付け位置に予め取付けておくこともできる。
【００２０】
連結具２を使用してタイル１を取り付けるには次のようにする。
（１）建物に固定した下方の連結具２の支持部４（図６）にタイル１の下縁の支持縁２４を差し込み、上方の連結具２の係止部５（図６）にタイル１の表面上縁１０を図６のように差し込む。
（２）図６の下のタイル１の上に、図６の上のタイル１をセットする。この場合、上のタイル１の支持縁２４を下のタイル１がセットされている連結具２の支持部４（図６）に差込み、上のタイル１の被覆縁１４を連結具２の表に被せて連結具２を被覆する。
（３）前記１、２のセットを繰り返して、タイル１を建物の壁の下方から上方に順次配置して取り付ける。
（４）前記１〜３と同様にして図7のように、左右方向にも取り付ける。左右に取り付ける場合は、左列のタイル１の側方重合部１９の上に、右列のタイル１の側方突縁１７を重ねる。
（５）前記１〜４の取付け作業により、建物の壁の全面又は一部にタイル１を取り付ける。
【図面の簡単な説明】
【００２１】
【図１】（ａ）は本願発明のタイルの実施形態の一例を示す表面側斜視図、（ｂ）は裏面側斜視図。
【図２】（ａ）は本願発明のタイルの実施形態の一例を示す表面側一部切断斜視図、（ｂ）は裏面側一部切断斜視図。
【図３】本願発明のタイルを建物の壁に取付けるのに使用する連結具の一例を示す斜視図。
【図４】本願発明のタイルを連結具で壁に取付けた場合の説明図。
【図５】本願発明のタイルを連結具で壁に取付けた場合の上下方向への連結説明図。
【図６】本願発明のタイル壁構造の一例を示す縦断側面図。
【図７】本願発明のタイルを連結具で上下左右に取付けた場合の説明図。
【符号の説明】
【００２２】
１  タイル
２  連結具
３  金属板
４  支持部
４ａ  支持部片
５  係止部
６  支持片
７  凸条
８  止め孔
９  裏面上縁
１０  表面上縁
１０ａ  上端部
１１  差込縁
１２  表面下縁
１３  裏面下縁
１４  被覆縁
１５  嵌入溝
１６  裏面側縁
１７  側方突縁
１８  表面側縁
１９  側方重合部
２０  タイル裏面
２１  （タイル裏面の）一部
２２  （タイル裏面の）他の部分
２３  外周縁部
２４  支持縁
２５  裏面中央部
Ａ    柱、間柱
Ｂ    固定具
【図１】
2009281117.tif 000003
【図２】
2009281117.tif 000004
【図３】
2009281117.tif 000005
【図４】
2009281117.tif 000006
【図５】
2009281117.tif 000007
【図６】
2009281117.tif 000008
【図７】
2009281117.tif 000009